(57)【要約】【課題】機器に設けられキーの押下の有無を検出するキー押下検出装置において機器の設計の自由度が高いキー押下検出装置を提供する。【解決手段】第１方向Ｄ１に伝播する光Ｒを発光する第１発光部Ｆ１と、第２方向Ｄ２に伝播する光Ｒを発光する第２発光部Ｆ２と、光Ｒの伝播方向を変換し得る変換部Ｈと、第１方向Ｄ１に伝播する光Ｒを受光する第１受光部Ｇ１と、第２方向Ｄ２に伝播する光Ｒを受光する第２受光部Ｇ２と、変換部Ｈに対応して設けられ変換部Ｈで光Ｒの伝播方向を変換するか否かを決定する複数のキーとを備え、第１発光部Ｆ１及び第２発光部Ｆ２から発光される光Ｒは互いに異なる波長を有し、キーが押下されている間に、第１受光部Ｇ１及び第２受光部Ｇ２において変換部Ｈを介して伝播する光Ｒの受光の有無を検出すると共に、受光が有った場合に光Ｒが発光された第１発光部Ｆ１又は第２発光部Ｆ２を特定することによりキーの押下の有無を検出する。【選択図】図６
2010282971.tif 000002
【特許請求の範囲】
【請求項１】
第１方向に伝播する光を発光するｍ個（ｍは１以上の整数）の第１発光部と、
前記第１方向以外の第２方向に伝播する光を、前記第１方向に伝播する光と交差するように発光するｎ個（ｎは２以上の整数）の第２発光部と、
前記ｍ個の第１発光部及び前記ｎ個の前記第２発光部のすべてが同時に光を発光した場合における前記第１方向に伝播する光と前記第２方向に伝播する光との交点にそれぞれ設けられ、且つ、光の伝播方向を前記第１方向から前記第２方向に又は該第２方向から該第１方向に変換し得る複数の変換部と、
前記変換部を介して前記第１方向に伝播する光を受光する少なくともｍ個の第１受光部と、
前記変換部を介して前記第２方向に伝播する光を受光する少なくともｎ個の第２受光部と、
前記複数の変換部にそれぞれ対応して設けられ、該変換部において光の伝播方向を変換するか否かを決定する複数個のキーと、を備え、
前記複数の第１発光部及び前記複数の第２発光部から発光される前記光は、互いに異なる波長を有しており、
１個又は複数個の前記キーが押下されている間に、ｍ個の前記第１受光部及びｎ個の前記第２受光部それぞれにおいて、前記変換部を介して伝播する光の受光の有無を検出すると共に、受光が有った場合に当該光が発光された前記第１発光部又は前記第２発光部を特定することにより、前記キーの押下の有無を検出するキー押下検出装置。
【請求項２】
前記変換部は、前記光を屈折させるか又は反射させることにより該光の伝播方向を変換する請求項１に記載のキー押下検出装置。
【請求項３】
前記第１発光部と前記変換部との間、前記第２発光部と前記変換部との間、隣接した前記変換部同士の間、前記変換部と前記第１受光部との間及び前記変換部と前記第２受光部との間の一部又は全部には、前記光が導かれる導光部が配置されている請求項１または２に記載のキー押下検出装置。
【請求項４】
前記導光部は、ガラス又はプラスチックが用いられた光ファイバーからなる請求項３に記載のキー押下検出装置。
【請求項５】
前記導光部は、前記第１方向及び前記第２方向以外の第３方向に前記光の一部が放出される光放出部を備えている請求項３または４に記載のキー押下検出装置。
【請求項６】
光透過性の被覆部材が前記導光部を被覆するように設けられており、前記光放出部から放出された前記光が前記被覆部材を透過する請求項５に記載のキー押下検出装置。
【請求項７】
前記光が導かれる導光部は、湾曲している請求項３乃至６のいずれかに記載のキー押下検出装置。
【請求項８】
請求項１乃至７のいずれかに記載のキー押下検出装置と、
電気回路と、を備えた電子機器。
【請求項９】
請求項１乃至８のいずれかに記載のキー押下検出装置と、
アンテナと、を備えた通信機器。
【発明の詳細な説明】
【技術分野】
【０００１】
本発明は、キーの押下を利用した入力手段を備えた電子機器などの機器に設けられ、該キーの押下の有無を検出するキー押下検出装置、並びにこれを備えた電子機器及び通信機器に関する。
【背景技術】
【０００２】
携帯電話機などの電子機器は、数字キーなどのキーの押下を利用した入力手段を備えている。従来の入力手段においては、マトリックス状（行列状）に形成された電気回路を利用して、キーの押下の有無を検出していた（以下、キーの押下の有無を検出する装置を「キー押下検出装置」という）。つまり、従来のキー押下検出装置においては、マトリックス状に形成された電気回路における特定部位のスキャンを行い、キーの押下による検出電圧の差異を検出することによって、押下されたキーを特定していた（例えば、下記特許文献１参照）。
【０００３】
また、通信機器としての電子機器には、通信用送受信アンテナ、通信用ダイバーシチアンテナ、ＦＭラジオ受信アンテナ、ＴＶ受信アンテナ、ＧＰＳ受信アンテナ、ブルートゥース送受信アンテナ、フェリカ送受信アンテナなどの複数のアンテナが内蔵されていることがある。
また、電子機器には、回路基板が搭載されており、回路基板上に、無線送受信回路、信号変換回路、制御回路、電源回路、インターフェース回路等の種々の電気回路が搭載されている。
【先行技術文献】
【特許文献】
【０００４】
【特許文献１】特開２００３−１８６６０７号公報
【発明の概要】
【発明が解決しようとする課題】
【０００５】
しかしながら、上述した入力手段においては、マトリックス状に形成された電気回路からスイッチングノイズが発生する。そのため、キー押下検出装置においては、スイッチングノイズが干渉しないように、例えば、アンテナを構成する部材と電気回路などの導電体との位置関係を適切に設定したり、シールド部材を配する等の対策を講じる必要がある。
【０００６】
具体的には、例えば、折り畳み型の携帯電話機においては、その表面構成物として、表示装置、キー入力装置、電池（及びその蓋）、音響入出力装置、カメラ装置、外部Ｉ／Ｆ装置などが設けられているが、いずれもアンテナを構成する部材とは重複しない位置に配置されている。小型化、軽量化、薄型化などが進む携帯電話機においては、アンテナと他の表面構成物との分離、つまりアンテナと導電体との分離が必要となるが、アンテナを配置可能な領域は限られており、設計の自由度は低い。
【０００７】
従って、本発明の目的は、キーの押下を利用した入力手段を備えた電子機器などの機器に設けられ、該キーの押下の有無を検出するキー押下検出装置において、前記機器における設計の自由度を高めることが可能なキー押下検出装置、並びにこれを備えた電子機器及び通信機器を提供することにある。
【課題を解決するための手段】
【０００８】
本発明は、第１方向に伝播する光を発光するｍ個（ｍは１以上の整数）の第１発光部と、前記第１方向以外の第２方向に伝播する光を、前記第１方向に伝播する光と交差するように発光するｎ個（ｎは２以上の整数）の第２発光部と、前記ｍ個の第１発光部及び前記ｎ個の前記第２発光部のすべてが同時に光を発光した場合における前記第１方向に伝播する光と前記第２方向に伝播する光との交点にそれぞれ設けられ、且つ、光の伝播方向を前記第１方向から前記第２方向に又は該第２方向から該第１方向に変換し得る複数の変換部と、前記変換部を介して前記第１方向に伝播する光を受光する少なくともｍ個の第１受光部と、前記変換部を介して前記第２方向に伝播する光を受光する少なくともｎ個の第２受光部と、前記複数の変換部にそれぞれ対応して設けられ、該変換部において光の伝播方向を変換するか否かを決定する複数のキーと、を備え、１又は複数の前記キーが押下されている間に、ｍ個の前記第１受光部及びｎ個の前記第２受光部それぞれにおいて、前記変換部を介して伝播する光の受光の有無を検出すると共に、受光が有った場合に当該光が発光された前記第１発光部又は前記第２発光部を特定することにより、前記キーの押下の有無を検出するキー押下検出装置に関する。
【０００９】
また、前記変換部は、前記光を屈折させるか又は反射させることにより該光の伝播方向を変換することが好ましい。
【００１０】
また、前記第１発光部と前記変換部との間、前記第２発光部と前記変換部との間、隣接した前記変換部同士の間、前記変換部と前記第１受光部との間及び前記変換部と前記第２受光部との間の一部又は全部には、前記光が導かれる導光部が配置されていることが好ましい。
【００１１】
また、前記導光部は、ガラス又はプラスチックが用いられた光ファイバーからなることが好ましい。
【００１２】
また、前記導光部は、前記第１方向及び前記第２方向以外の第３方向に前記光の一部が放出される光放出部を備えていることが好ましい。
【００１３】
また、光透過性の被覆部材が前記導光部を被覆するように設けられており、前記光放出部から放出された前記光が前記被覆部材を透過することが好ましい。
【００１４】
また、前記複数の第１発光部及び前記複数の第２発光部から発光される前記光は、互いに異なる波長を有していることが好ましい。
【００１５】
また、前記複数の第１発光部及び前記複数の第２発光部から発光される前記光は、同じ波長又は互いに近い波長を有していると共に、互いに異なるタイミングで発光されることが好ましい。
【００１６】
本発明は、第１方向に伝播する光を発光するｍ個（ｍは１以上の整数）の第１発光部と、前記ｍ個の第１発光部から発光された光の伝播方向を、該第１方向以外の第２方向に変換し得るｍ個の変換部と、前記変換部を介して前記第１方向に伝播する光を受光する少なくともｍ個の第１受光部と、前記変換部を介して前記第２方向に伝播する光を受光する少なくともｍ個の第２受光部と、前記変換部に対応して設けられ、該変換部において光の伝播方向を変換するか否かを決定するｍ個キーと、を備え、１の前記キーが押下されている間に、ｍ個の前記第１受光部及びｍ個の前記第２受光部それぞれにおいて、前記変換部を介して伝播する光の受光の有無を検出すると共に、受光が有った場合に当該光が発光された前記第１発光部を特定することにより、前記キーの押下の有無を検出するキー押下検出装置に関する。
【００１７】
本発明は、光を発光する１の第１発光部と、前記第１発光部から発光された光の伝播方向を変換し得る１の変換部と、前記変換部において伝播方向が変換されなかった光を受光する第１受光部と、前記変換部において伝播方向が変換された光を受光する第２受光部と、前記変換部に対応して設けられ、該変換部において光の伝播方向を変換するか否かを決定する１のキーと、を備え、前記キーが押下されている間に、前記第１受光部及び前記第２受光部それぞれにおいて、前記変換部を介して伝播する光の受光の有無を検出することにより、前記キーの押下の有無を検出するキー押下検出装置に関する。
【００１８】
本発明は、前記キー押下検出装置と、電気回路と、を備えた電子機器に関する。
【００１９】
本発明は、前記キー押下検出装置と、アンテナと、を備えた通信機器に関する。
【発明の効果】
【００２０】
本発明によれば、キーの押下を利用した入力手段を備えた電子機器、通信機器などの機器に設けられ、該キーの押下の有無を検出するキー押下検出装置において、前記機器における設計の自由度を高めることが可能である。
【図面の簡単な説明】
【００２１】
【図１】第１実施形態の携帯電話機１を開いた状態で示す外観斜視図である。
【図２】図１に示す操作部側筐体２に内蔵される部材の分解斜視図である。
【図３】図１に示す表示部側筐体３に内蔵される部材の分解斜視図である。
【図４】図２に示すキー構造部４０の分解斜視図である。
【図５】入力操作キー１４のうちの１から９の数字キーと、発光部Ｆ１，Ｆ２及び受光部Ｇ１，Ｇ２の一部とを示す模式図である。
【図６】発光部Ｆ１，Ｆ２から発光された光Ｒの伝播方向を示す模式図である。
【図７】変換部Ｈを操作部側筐体２の厚み方向に切断した模式的断面図で、（ａ）は、非押下状態の入力操作キー１４を第１方向Ｄ１に沿って切断した断面図（図６におけるＡ−Ａ断面）であり、（ｂ）は、押下状態の入力操作キー１４を第１方向Ｄ１に沿って切断した断面図（図６におけるＢ−Ｂ断面）である。
【図８】変換部Ｈを操作部側筐体２の厚み方向に切断した模式的断面図で、（ａ）は、非押下状態の入力操作キー１４を第２方向Ｄ２に沿って切断した断面図（図６におけるＣ−Ｃ断面）であり、（ｂ）は、押下状態の入力操作キー１４を第２方向Ｄ２に沿って切断した断面図（図６におけるＤ−Ｄ断面）である。
【図９】変換部Ｈの連結体５１を操作部側筐体２の厚み方向に視た模式的平面図で、（ａ）は反射体５２を示す図、（ｂ）は第１透過部５３を示す図、（ｃ）は第２透過部５４を示す図である。
【図１０】（ａ）〜（ｃ）は、それぞれ光放出部５７ａから５７ｃの構成の例を示す模式的断面図である。
【図１１】機能設定操作キー１３及び決定操作キー１５と、これらのキー１３，１５の押下の検出に係る発光部Ｆ１，Ｆ２及び受光部Ｇ１，Ｇ２とを示す模式図（図５対応図）である。
【発明を実施するための形態】
【００２２】
以下、本発明を実施するための最良の形態の一例について、図面を参照しながら説明する。まず、本発明の電子機器及び通信機器の第１実施形態である携帯電話機１の基本構造について、図１から図４を参照しながら説明する。第１実施形態の携帯電話機１は、本発明のキー押下検出装置の一実施形態を備えている。
図１は、第１実施形態の携帯電話機１を開いた状態で示す外観斜視図である。図２は、図１に示す操作部側筐体２に内蔵される部材の分解斜視図である。図３は、図１に示す表示部側筐体３に内蔵される部材の分解斜視図である。図４は、図２に示すキー構造部４０の分解斜視図である。
【００２３】
図１に例示的に示すように、第１実施形態の携帯電話機１は、操作部側筐体２と、表示部側筐体３とを備える。操作部側筐体２と表示部側筐体３とは、ヒンジ機構を備える連結部４を介して、開閉軸（図示せず）を中心に開閉可能に連結される。具体的には、操作部側筐体２の上端部と表示部側筐体３の下端部とは、連結部４を介して連結される。これにより、携帯電話機１は、連結部４を介して連結された操作部側筐体２と表示部側筐体３とを相対的に動かすことが可能に構成される。
【００２４】
つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体２，３が互いに重なるように配置された状態であり、開状態とは、両筐体２，３が互いに重ならないように配置された状態をいう。
【００２５】
図１及び図２に例示的に示すように、操作部側筐体２の外面は、フロントケース２ａ及びリアケース２ｂにより構成される。操作部側筐体２は、フロントケース２ａ側に、操作キー群１１と、携帯電話機１の使用者が通話時に発した音声が入力されるマイクとしての音声入力部１２とがそれぞれ露出するように構成される。
【００２６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。
図１に例示的に示すように、入力操作キー１４は、５行×３列にマトリックス状（行列状）に配列して、計１５個設けられている。１５個の入力操作キー１４には、０〜９の数字キー、「＊」、「＃」等が含まれる。
【００２７】
操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２８】
音声入力部１２は、操作部側筐体２の長手方向における連結部４側と反対の外端部側に配置される。つまり、音声入力部１２は、携帯電話機１が開状態において一方の外端部側に配置される。
【００２９】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００３０】
図１及び図３に例示的に示すように、表示部側筐体３は、フロントケース３ａと、フロントパネル３ｂと、リアパネル３ｃと、リアケース３ｄとを備える。表示部側筐体３におけるフロントケース３ａには、各種情報を表示するための表示部２１と、通話の相手側の音声を出力するレシーバとしての音声出力部２２とが露出するように配置される。ここで、表示部２１は、液晶パネルと、この液晶パネルを駆動する駆動回路と、この液晶パネルの背面側から光を照射するバックライト等の光源部とから構成される。
【００３１】
携帯電話機１は複数の機能を有する。携帯電話機１は、地上デジタル放送受信制御をする機能や、ＡＭラジオ放送受信制御をする機能や、ＦＭラジオ放送受信制御をする機能や、メイン電源制御機能（オン／オフ制御機能）等を有する。
【００３２】
次いで、図２から図４を参照しながら、操作部側筐体２及び表示部側筐体３の内部構造について説明する。
【００３３】
まず、操作部側筐体２の内部構造について説明する。
図２に例示的に示すように、操作部側筐体２は、フロントケース２ａと、キー構造部４０と、光スイッチ基板５０と、アンテナシートＰ１と、シールドケース６０と、基準電位パターン層７５及び携帯電話機用のＲＦ（Ｒａｄｉｏ  Ｆｒｅｑｕｅｎｃｙ）モジュール等の各種電子部品を備える回路基板７０と、バッテリリッド２ｃを備えたリアケース２ｂと、バッテリＱとを備える。
第１実施形態におけるキー押下検出装置Ｋは、キー構造部４０及び光スイッチ基板５０を主体として構成される。キー押下検出装置Ｋの詳細については後述する。
【００３４】
フロントケース２ａとリアケース２ｂとは、互いの凹状の内側面が向き合うように配置され、互いの外周縁が重なり合うようにして結合される。また、フロントケース２ａとリアケース２ｂとの間には、キー構造部４０と、光スイッチ基板５０と、アンテナシートＰ１と、シールドケース６０と、回路基板７０とが挟まれるようにして内蔵される。
【００３５】
フロントケース２ａには、携帯電話機１を折り畳んだ状態で表示部側筐体３の表示部２１と対向する内側面に、開口部としてのキー孔１３ａ、１４ａ、１５ａが形成される。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押下することで、対応する変換部Ｈ（後述）が押下される。
【００３６】
図４に例示的に示すように、キー構造部４０は、操作部材４０Ａと、キーフレーム４０Ｂと、キーシート４０Ｃとから構成される。
操作部材４０Ａは、複数のキー操作部材から構成される。具体的には、機能設定操作キー部材１３ｂと、入力操作キー部材１４ｂと、決定操作キー部材１５ｂとから構成される。操作部材４０Ａを構成する各操作キー部材は、後述するキーフレーム４０Ｂを挟んでキーシート４０Ｃに接着される。キーシート４０Ｃに接着された各操作キー部材における押圧面は、上述の通り、キー孔１３ａ、１４ａ、１５ａそれぞれから外部に露出して配置される。
【００３７】
キーフレーム４０Ｂは、孔部１４ｃが複数形成された金属性の板状部材である。キーフレーム４０Ｂは、入力操作キー部材１４ｂの押圧による回路基板７０等への悪影響を防ぐための補強部材である。この場合、キーフレーム４０Ｂは、アンテナとして利用することもできる。
キーフレーム４０Ｂに形成される複数の孔部１４ｃには、後述するキーシート４０Ｃに形成される凸部１４ｄが嵌合するように配置される。そして、この凸部１４ｄに入力操作キー部材１４ｂが接着される。
【００３８】
キーシート４０Ｃは、可撓性を有するシリコンゴム製のシート状部材である。キーシート４０Ｃには、複数の凸部１４ｄが形成される。複数の凸部１４ｄは、キーシート４０Ｃにおけるキーフレーム４０Ｂが配置される側の面に形成される。この複数の凸部１４ｄそれぞれは、後述する変換部Ｈに対応する位置に形成される。
【００３９】
機能設定操作キー１３、入力操作キー１４及び決定操作キー１５は、光透過性の部材からなり、そのため、後述するように導光部５６の光放出部５７から放出された光を、キーの照明に利用することができる。
【００４０】
光スイッチ基板５０は、光学的な作用によるスイッチが搭載された基板であり、キーシート４０Ｃ側に、第１発光部Ｆ１と、第２発光部Ｆ２と、変換部Ｈと、第１受光部Ｇ１と、第２受光部Ｇ２とを備える。複数の変換部Ｈは、それぞれ、各操作部材４０Ａに対応する位置に配置される。なお、図２においては、入力操作キー１４に関する変換部Ｈ等のみを図示しており、機能設定操作キー１３と及び決定操作キー１５に関する変換部Ｈ等については図示を省略している。
変換部Ｈの詳細な構成については後述する。
【００４１】
アンテナシートＰ１は、シート状のアンテナであり、例えば、シート状の絶縁体の基材に、アンテナを形成する配線がプリントされて形成される。絶縁体の基材は、シールドケース６０とアンテナを形成する配線とを間に十分な距離を確保し、絶縁を図るための部材である。
アンテナシートＰ１は、操作部側筐体２と表示部側筐体３とを開いた状態において最大利得が得られるため、例えば、通信用送受信アンテナ、通信用ダイバーシチアンテナ、ＦＭラジオ受信アンテナ、ＴＶ受信アンテナ、ＧＰＳ受信アンテナとして、効果的に利用できる。
【００４２】
シールドケース６０は、薄型の直方体における一の広い面が開口した形状を有する導電性の部材である。シールドケース６０は、光スイッチ基板５０及びアンテナシートＰ１の載置面となる平板部６１と、平板部６１における開口側の面に略垂直に形成されるリブ６２とを備える。リブ６２は、回路基板７０に実装される各種電子部品のうち最も高さのある電子部品の高さと同等又はそれよりも十分に高くなるよう形成される。リブ６２は、平板部６１の周縁及び内側に基準電位部を構成する基準電位パターン層７５に対応するように形成される。具体的には、シールドケース６０が回路基板７０に載置された状態で、基準電位パターン層７５上に配置されるようにリブ６２が形成される。
【００４３】
なお、シールドケース６０は、その全体を金属から構成することができる他、その骨格が樹脂から形成され、該骨格の表面に導体膜を形成して構成することもできる。
また、光スイッチ基板５０がシールドケース６０における平板部６１に載置されるので、操作部材４０Ａそれぞれが押圧されることによる圧力や撓みは、シールドケース６０の下方に配置される回路基板７０に伝達されにくい。
【００４４】
シールドケース６０は、リブ６２の底面が基準電位パターン層７５に当接されることで、基準電位パターン層７５と電気的に接続される。シールドケース６０は、基準電位パターン層７５と電気的に導通して該基準電位パターン層７５と同じ高さの電位を有するようになる。
【００４５】
シールドケース６０は、外部からの高周波等のノイズが回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、シールドケース６０におけるリブ６２の底面が基準電位パターン層７５上に配置されることで、各回路は、リブ６２により囲われると共に平板部６１の一部により覆われる。リブ６２は、各回路における隔壁として機能し、平板部６１の一部と共に各回路をシールドする。
【００４６】
回路基板７０には、非図示の各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００４７】
回路基板７０におけるシールドケース６０側の第１面７０ａには、上述の各種電子部品の他、基準電位部を構成する基準電位パターン層７５が形成される。基準電位パターン層７５は、上述の各回路ブロックを区画するように形成される。基準電位パターン層７５は、回路基板７０の第１面７０ａの表面に導電性の部材を所定パターンで印刷することで形成される。
【００４８】
メインアンテナＰ２は、基台上に所定形状のアンテナエレメントが配置されることにより構成される。メインアンテナＰ２は、携帯電話機１における連結部４側と反対の端部側に配置される。このメインアンテナＰ２のアンテナエレメントは、帯状の板金により形成される。また、メインアンテナＰ２は、不図示の給電端子を介して回路基板７０から給電される。これにより、アンテナエレメントは、給電端子を介して回路基板７０から給電されると共に、回路基板７０のＲＦモジュール等と接続される。
【００４９】
ＴＶ受信アンテナＰ３は、地上デジタル放送としてのいわゆるワンセグ放送の電波を受信する。ＴＶ受信アンテナＰ３は、操作部側筐体２に脱出自在に設けられる。
【００５０】
リアケース２ｂの一端側には、取り外し可能なバッテリリッド２ｃが設けられている。バッテリリッド２ｃは、バッテリＱをリアケース２ｂの外側から収納した後、リアケース２ｂに装着される。また、リアケース２ｂにおける一端側には、ユーザの音声を入力する音声入力部１２のマイク（図示せず）が収容される。
【００５１】
次に、表示部側筐体３の内部構造について説明する。
図３に例示的に示すように、表示部側筐体３は、フロントケース３ａと、音声出力部２２と、フロントパネル３ｂと、表示部２１と、表示部２１が接続されたプリント基板（図示せず）と、リアパネル３ｃと、リアケース３ｄとを備える。
【００５２】
表示部側筐体３においては、フロントケース３ａと、フロントパネル３ｂと、表示部２１と、前記プリント基板と、リアパネル３ｃと、リアケース３ｄとが積層的に配置される。具体的には、フロントケース３ａとリアケース３ｄとは、互いの凹状の内側面が向き合うように配置され、互いの外周縁が重なり合うようにして結合される。そして、フロントケース３ａとリアケース３ｄとの間には、表示部２１が接続された前記プリント基板が挟まれるようにして内蔵される。前記プリント基板には、アンプと接続されるスピーカ（いずれも図示せず）が接続される。
【００５３】
次に、第１実施形態におけるキー押下検出装置Ｋについて、図５から図９を参照しながら詳述する。キー押下検出装置Ｋは、キー構造部４０及び光スイッチ基板５０を主体として構成される。
図５は、入力操作キー１４のうちの１から９の数字キーと、発光部Ｆ１，Ｆ２及び受光部Ｇ１，Ｇ２の一部とを示す模式図である。図６は、発光部Ｆ１，Ｆ２から発光された光Ｒの伝播方向を示す模式図である。
【００５４】
図５及び図６に例示的に示すように、第１実施形態におけるキー押下検出装置Ｋは、１又は複数のキー（例えば、数字キー１４）が押下されている間に、ｍ個の第１受光部Ｇ１及びｎ個の第２受光部Ｇ２それぞれにおいて、変換部Ｈを介して伝播する光Ｒの受光の有無を検出すると共に、受光が有った場合に当該光Ｒが発光された第１発光部Ｆ１又は第２発光部Ｆ２を特定することにより、キー１４の押下の有無を検出する装置である。
【００５５】
なお、図５においては、説明の便宜上、入力操作キー１４のうちの１から９の数字キーと、第１発光部Ｆ１及び第２発光部Ｆ２並びに第１受光部Ｇ１及び第２受光部Ｇ２の一部を模式的に示しており、１から９の数字キー以外のキー（例えば、０、＊、＃のキー）については、図示を省略している。
【００５６】
また、図６においても、説明の便宜上、第１発光部Ｆ１及び第２発光部Ｆ２、変換部Ｈ、並びに第１受光部Ｇ１及び第２受光部Ｇ２の一部を模式的に示している。
以下、図５及び図６を参照しながら、１から９の数字キーで代表して、キー押下検出装置Ｋの構成、動作などについて説明するが、１から９の数字キー以外のキーの構成、動作なども同様である。
【００５７】
図５及び図６に例示的に示すように、第１実施形態におけるキー押下検出装置Ｋは、第１発光部Ｆ１と、第２発光部Ｆ２と、変換部Ｈと、第１受光部Ｇ１と、第２受光部Ｇ２、導光部５６とを備える。なお、以下の説明において、第１発光部Ｆ１及び第２発光部Ｆ２に共通する説明を行う場合には、「発光部」の表現を用いることがある。また、第１受光部Ｇ１及び第２受光部Ｇ２に共通する説明を行う場合には、「受光部」の表現を用いることがある。
【００５８】
第１発光部Ｆ１は、第１方向Ｄ１に伝播する光Ｒを発光するもので、ｍ個（ｍは１以上の整数）設けられている。
第２発光部Ｆ２は、第１方向Ｄ１以外の第２方向Ｄ２に伝播する光Ｒを、第１方向Ｄ１に伝播する光Ｒと交差するように発光するもので、ｎ個（ｎは２以上の整数）設けられている。
第１発光部Ｆ１及び第２受光部Ｇ２の光源としては、例えば、レーザ発振器、発光ダイオード（ＬＥＤ）、白熱電球、冷陰極管が挙げられる。
なお、第１発光部Ｆ１及び第２発光部Ｆ２は、光源（自身が発光するもの）に制限されず、光源から伝播された光を発光するものも含む。
【００５９】
変換部Ｈは、ｍ個の第１発光部Ｆ１及びｎ個の第２発光部Ｆ２のすべてが同時に光を発光した場合における第１方向Ｄ１に伝播する光Ｒと第２方向Ｄ２に伝播する光Ｒとの交点にそれぞれ設けられている。変換部Ｈは、光Ｒの伝播方向を第１方向Ｄ１から第２方向Ｄ２に又は第２方向Ｄ２から第１方向Ｄ１に変換し得る。
なお、「光Ｒの伝播方向を変換する」には、例えば、導光部５６を形成する光ファイバー（後述）が湾曲していること等により、部分的に光の経路の向きが変わる場合を含まない。
【００６０】
第１受光部Ｇ１は、変換部Ｈを介して第１方向Ｄ１に伝播する光Ｒを受光するもので、少なくともｍ個設けられている。
第２受光部Ｇ２は、変換部Ｈを介して第２方向Ｄ２に伝播する光Ｒを受光するもので、少なくともｎ個設けられている。
第１受光部Ｇ１及び第２受光部Ｇ２は、第１発光部Ｆ１及び第２受光部Ｇ２の光源に対応するものが適宜選択されて使用される。
【００６１】
導光部５６は、第１発光部Ｆ１又は第２発光部Ｆ２から発光された光Ｒを導くことが可能な部位であり、第１発光部Ｆ１と変換部Ｈとの間、第２発光部Ｆ２と変換部Ｈとの間、隣接した変換部Ｈ，Ｈ同士の間、変換部Ｈと第１受光部Ｇ１との間及び変換部Ｈと第２受光部Ｇ２との間の一部又は全部に配置されている。
【００６２】
本実施形態における第１方向Ｄ１、第２方向Ｄ２、第１発光部Ｆ１、第２発光部Ｆ２、変換部Ｈ、第１受光部Ｇ１及び第２受光部Ｇ２は、以下の通りである。
第１方向Ｄ１は、操作部側筐体２の幅方向（図１における略左右方向）であり、第２方向Ｄ２は、操作部側筐体２の長手方向（図１における略上下方向）である。従って、操作部側筐体２を厚み方向に平面視した場合に、第１方向Ｄ１と第２方向Ｄ２とは直交する。尚、第１方向Ｄ１と第２方向Ｄ２とは必ずしも直交している必要はなく、例えば、第１方向Ｄ１と第２方向Ｄ２とのなす角が６０°になるようにしてもよい。
【００６３】
図２に例示的に示すように、第１発光部Ｆ１は、入力操作キー１４の行数（５行）に対応して５個設けられる。図５及び図６においては、１、４及び７の数字キーに対応する３個の第１発光部Ｆ１のみが図示されている。便宜上、３個の第１発光部Ｆ１については、１、４及び７の数字キーに対応する順に、Ｆ１（１）、Ｆ１（２）及びＦ１（３）という。
【００６４】
第２発光部Ｆ２は、入力操作キー１４の列数（３列）に対応して３個設けられる。第２発光部Ｆ２は、１、２及び３の数字キーに対応している。便宜上、３個の第２発光部Ｆ２については、１、２及び３の数字キーに対応する順に、Ｆ２（１）、Ｆ２（２）及びＦ３（３）という。
【００６５】
第１受光部Ｇ１は、第１発光部Ｆ１から発光された光Ｒの伝播方向が変換部Ｈによって変換されない場合に、第１発光部Ｆ１から発光された光Ｒが到達する位置にそれぞれ設けられる。従って、第１受光部Ｇ１は、入力操作キー１４の行数（５行）に対応して５個設けられる。図５及び図６においては、３、６及び９の数字キーに対応する３個の第１受光部Ｇ１のみが図示されている。便宜上、３個の第１受光部Ｇ１については、３、６及び９の数字キーに対応する順に、Ｇ１（１）、Ｇ１（２）及びＧ１（３）という。
【００６６】
第２受光部Ｇ２は、第２発光部Ｆ２から発光された光Ｒの伝播方向が変換部Ｈによって変換されない場合に、第２発光部Ｆ２から発光された光Ｒが到達する位置にそれぞれ設けられる。従って、第２受光部Ｇ２は、入力操作キー１４の列数（３列）に対応して３個設けられる。第２受光部Ｇ２は、７、８及び９の数字キーに対応している。便宜上、３個の第２受光部Ｇ２については、７、８及び９の数字キーに対応する順に、Ｇ２（１）、Ｇ２（２）及びＧ２（３）という。
【００６７】
図２に例示的に示すように、変換部Ｈは、５個の第１発光部Ｆ１及び３個の第２発光部Ｆ２のすべてが同時に光を発光した場合における第１方向Ｄ１に伝播する光Ｒと第２方向Ｄ２に伝播する光Ｒとの交点にそれぞれ設けられている。つまり、変換部Ｈは、入力操作キー（数字キー）１４に対応する位置に、５行×３列にマトリックス状（行列状）に配列して、計１５個設けられる。図５及び図６においては、１から９の数字キーに対応する９個の変換部Ｈのみが図示されている。
【００６８】
変換部Ｈは、光Ｒを屈折させるか又は反射させることにより光Ｒの伝播方向を変換する。本実施形態における変換部Ｈは、後述するように反射体５２を備えており、反射体５２により光Ｒを反射させることにより光Ｒの伝播方向を変換する。
【００６９】
次に、変換部Ｈの詳細について、図７から図９を参照しながら説明する。
図７は、変換部Ｈを操作部側筐体２の厚み方向に切断した模式的断面図で、（ａ）は、非押下状態の入力操作キー１４を第１方向Ｄ１に沿って切断した断面図（図６におけるＡ−Ａ断面）であり、（ｂ）は、押下状態の入力操作キー１４を第１方向Ｄ１に沿って切断した断面図（図６におけるＢ−Ｂ断面）である。
【００７０】
図８は、変換部Ｈを操作部側筐体２の厚み方向に切断した模式的断面図で、（ａ）は、非押下状態の入力操作キー１４を第２方向Ｄ２に沿って切断した断面図（図６におけるＣ−Ｃ断面）であり、（ｂ）は、押下状態の入力操作キー１４を第２方向Ｄ２に沿って切断した断面図（図６におけるＤ−Ｄ断面）である。
図９は、変換部Ｈの連結体５１を操作部側筐体２の厚み方向に視た模式的平面図で、（ａ）は反射体５２を示す図、（ｂ）は第１透過部５３を示す図、（ｃ）は第２透過部５４を示す図である。
【００７１】
図７から図９に例示的に示すように、変換部Ｈは、連結体５１及び収納部５５を備える。連結体５１は、入力操作キー１４の内面側（押圧面とは反対側）に連結されている。連結体５１は、反射体５２、第１透過部５３及び第２透過部５４を備える。反射体５２は、第１発光部Ｆ１又は第２発光部Ｆ２から発光された光を反射する部材であり、第１方向Ｄ１及び第２方向Ｄ２と４５度の角度を形成するように、入力操作キー１４の内面側に連結されている。
【００７２】
従って、反射体５２によれば、第１方向Ｄ１に伝播されている光Ｒが入力されると、その光Ｒの伝播方向を第２方向Ｄ２に変換することができる〔図６において第１発光部Ｆ１（１）から発光された光Ｒを参照〕と共に、第２方向Ｄ２に伝播されている光Ｒが入力されると、その光Ｒの伝播方向を第１方向Ｄ１に変換することができる〔図６において第２発光部Ｆ２（１）から発光された光Ｒを参照〕。
反射体５２によって反射された光Ｒの伝播方向は、第１受光部Ｇ１又は第２受光部Ｇ２に向かう方向である。
反射体５２は、例えば、鏡、樹脂反射体（多孔質ＰＴＦＥ等）から形成される。
【００７３】
第１透過部５３は、第１方向Ｄ１に伝播されている光Ｒが入力されると、その光Ｒの伝播方向を変換することなく、その光Ｒを第１方向Ｄ１に出力することができる〔図６において第１発光部Ｆ１（２）から発光された光Ｒを参照〕。一方、第１方向Ｄ１以外の方向（例えば、第２方向Ｄ２）に伝播されている光が入力されても、その光を実質的に透過しない。
第１透過部５３は、例えば、ガラス又はプラスチックが用いられた光ファイバーからなる。第１透過部５３は、反射体５２における入力操作キー１４とは反対側に連結されている。
【００７４】
第２透過部５４は、第２方向Ｄ２に伝播されている光Ｒが入力されると、その光Ｒの伝播方向を変換することなく、その光Ｒを第２方向Ｄ２に出力することができる〔図６において第２発光部Ｆ２（２）から発光された光Ｒを参照〕。一方、第２方向Ｄ２以外の方向（例えば、第１方向Ｄ１）に伝播されている光が入力されても、その光を実質的に透過しない。
第２透過部５４は、第１透過部５３と同様に、例えば、ガラス又はプラスチックが用いられた光ファイバーからなる。第２透過部５４は、第１透過部５３における入力操作キー１４とは反対側に連結されている。
【００７５】
前述の通り、連結体５１は、入力操作キー１４の内面側から、反射体５２、第１透過部５３及び第２透過部５４が連結されて構成されている。
【００７６】
収納部５５は、連結体５１を収納する空間であり、入力操作キー１４が押下されることに伴って、連結体５１も押下されたときに、連結体５１の収納空間を確保し、連結体５１の押下（移動）を可能とする。収納部５５は、光スイッチ基板５０における、変換部Ｈの連結体５１に対応する位置に設けられている。
【００７７】
図７（ａ）及び図８（ａ）に例示的に示すように、入力操作キー１４が押下されていない状態においては、反射体５２は収納部５５に収納されない。一方、図７（ｂ）及び図８（ｂ）に例示的に示すように、入力操作キー１４が押下されている状態においては、反射体５２の全部又は一部が収納部５５に収納される。
【００７８】
複数の変換部Ｈは、複数の入力操作キー１４にそれぞれ対応して設けられている。言い換えると、入力操作キー１４は、複数の変換部Ｈにそれぞれ対応して設けられている。入力操作キー１４は、変換部Ｈにおいて光Ｒの伝播方向を変換するか否かを決定する。
【００７９】
図７（ｂ）及び図８（ｂ）に例示的に示すように、入力操作キー１４が押下された状態においては、変換部Ｈに入力される光Ｒは、反射体５２によって伝播方向が９０度変換される。従って、当該入力操作キー１４に対応する変換部Ｈは、変換部Ｈに入力される光Ｒの伝播方向を変換する〔図６において第１発光部Ｆ１（１）から発光された光Ｒ及び第２発光部Ｆ２（１）から発光された光Ｒを参照〕。
【００８０】
一方、図７（ａ）及び図８（ａ）に例示的に示すように、入力操作キー１４が押下されていない状態においては、変換部Ｈに入力される光Ｒは、第１透過部５３又は第２透過部５４によって伝播方向が変換されることなく、第１透過部５３又は第２透過部５４を透過する。従って、当該入力操作キー１４に対応する変換部Ｈは、該変換部Ｈに入力される光の伝播方向を変換しない。
【００８１】
導光部５６は、第１発光部Ｆ１と変換部Ｈとの間、第２発光部Ｆ２と変換部Ｈとの間、隣接した変換部Ｈ，Ｈ同士の間、変換部Ｈと第１受光部Ｇ１との間及び変換部Ｈと第２受光部Ｇ２との間の全部に配置されている。
導光部５６は、ガラス又はプラスチックが用いられた光ファイバーからなる。
【００８２】
第１透過部５３、第２透過部５４、導光部５６などにおいて、ガラスが用いられた光ファイバーを構成するガラスとしては、例えばシリカガラスが挙げられる。プラスチックが用いられた光ファイバーとしては、例えば、コア材がメタクリル樹脂（ポリメチルメタクリレート）からなり、クラッド材がフッ素系ポリマーからなるものが挙げられる。
【００８３】
連結体５１において、第１透過部５３と第２透過部５４とは、操作部側筐体２の厚み方向の位置が異なる。これに対応して、光Ｒを第１方向Ｄ１に導く導光部５６と光Ｒを第２方向Ｄ２に導く導光部５６とは、操作部側筐体２の厚み方向の位置が異なる。光Ｒを第１方向Ｄ１に導く導光部５６は、光Ｒを第２方向Ｄ２に導く導光部５６よりも、入力操作キー１４に近い位置に配置している。
【００８４】
導光部５６における入力部５６ａは、光Ｒが入力される部位であり、連結体５１に対面している。入力部５６ａは、反射体５２、第１透過部５３及び第２透過部５４のいずれに対面した場合においても、連結体５１から出力された光Ｒを入力可能なように、面積が導光部５６の出力部（光Ｒが出力される部位）の面積よりも大きくなっている。また、入力部５６ａは、光Ｒの伝播方向に向けて窄まっており、入力部５６ａに入力された光Ｒは、その入力位置に拘わらず集光されて、導光部５６によって導かれる。
【００８５】
図６に例示的に示すように、導光部５６は光放出部５７を備えている。光放出部５７は、第１方向Ｄ１及び第２方向Ｄ２以外の第３の方向に光Ｒの一部が放出される部位である。光放出部５７の位置は、放出される光Ｒの利用形態により適宜設定される。図１０（ａ）〜（ｃ）は、それぞれ光放出部５７ａから５７ｃの構成の例を示す模式的断面図である。
【００８６】
図１０（ａ）に示す例では、入力操作キー１４の直下に位置する第１透過部５３は、並列的に配列された複数の光ファイバーからなる。この複数の光ファイバーのうち、他の光ファイバーに比べて入力操作キー１４に近い側に位置する一部の光ファイバーに、光放出部５７ａを設けている。光放出部５７ａは、前述の一部の光ファイバーにおいて、光ファイバーのコア部材を被覆するクラッド材の一部に切欠きを設けることにより形成される。これにより、一部の光ファイバーは、コア部材が部分的に露出する領域を有することとなり、この露出領域から光Ｒの一部が放出される。
【００８７】
そして、このコア部材が部分的に露出する領域を、入力操作キー１４の直下あるいはその近傍に位置させた場合に、放出された一部の光Ｒが、入力操作キー１４を照射する照明として機能する。
なお、上述の例では入力操作キー１４が押下されると、切欠きが設けられた第１透過部５３に光が入射しなくなることから、押下された入力操作キー１４は点灯しないこととなる。これを利用して、複数の入力操作キー１４ごとの押下の有無と、入力操作キー１４の点灯の有無とを連動させることができる。これにより、ユーザは、複数の入力操作キー１４のうち、ユーザが現に押下している入力操作キー１４を視覚的に認識することが容易となる。
【００８８】
或いは、図１０（ｂ）、図５及び図６に示すように、入力操作キー１４の［１］キー（［  ］内の数字は、入力操作キー１４における数字を示す）に対応する変換部Ｈと、入力操作キー１４の［２］キーに対応する変換部Ｈとの間に、導光部５６を構成する複数の光ファイバーが並列的に配置されている場合には、以下の構成としてもよい。
即ち、複数の光ファイバーのうち、一部の光ファイバーを他の光ファイバーから分離させる。具体的には、導光部５６の途中から一部の光ファイバーを引き出して、引き出した一部の光ファイバーの端部を入力操作キー１４の［２］キー側に向けて配置する。或いは前記端部を入力操作キー１４の［２］キーの内部に挿入させる。引き出した一部の光ファイバーの端部が光放出部５７ｂとして機能する。
【００８９】
これにより、一部の光ファイバーに入射した光Ｒは、導光部５６から分離されて、前記端部（光放出部５７ｂ）から放出される。そして、放出された一部の光Ｒは、入力操作キー１４を内側から照射する照明として機能する。この場合、入力操作キー１４の押下の有無とは連動させずに、入力操作キー１４を点灯させることができる。
【００９０】
或いは、図１０（ｃ）に示すように、導光部５６が棒状のアクリル樹脂からなる場合には、アクリル樹脂の内部に部分的に、光散乱粒子からなる散乱材５６ｂや、金属や白色樹脂からなる反射材５６ｃを埋入させてもよい。これにより、導光部５６の内部で光Ｒを散乱材５６ｂや反射材５６ｃに反射させて、導光部５６の外部に放出させる光放出部５７ｃを形成することができる。なお、光散乱粒子は、例えば、樹脂からなる粒子の表面に金箔を被着させたものを採用することができる。
【００９１】
入力操作キー１４は、前述したように光透過性の部材からなり、導光部５６を被覆するように設けられている。入力操作キー１４は、導光部５６を被覆するように設けられた光透過性の被覆部材として機能する。そのため、光放出部５７から放出された光が、被覆部材である入力操作キー１４を透過することができる。従って、第１発光部Ｆ１又は第２発光部Ｆ２から発光され、導光部５６に導かれた光Ｒの一部は、光放出部５７を介して入力操作キー１４等の照明として利用される。
被覆部材に散乱剤が含有されていると、光が散乱して、被覆部材全体が発光しやすくなる。
【００９２】
第１実施形態においては、複数の第１発光部Ｆ１及び複数の第２発光部Ｆ２から光Ｒが同時に発光されるように構成されている。
また、第１実施形態においては、複数の第１発光部Ｆ１及び複数の第２発光部Ｆ２から発光される光Ｒは、互いに異なる波長を有している。その理由は以下の通りである。
【００９３】
第１実施形態においては、前述の通り、複数の第１発光部Ｆ１及び複数の第２発光部Ｆ２から光Ｒが同時に発光されるように構成されている。これによりキーの押下時間が短い場合にもキーの押下の検出が可能となる。
【００９４】
機能設定操作キー１３及び決定操作キー１５についても、入力操作キー１４と同様にキー押下検出装置Ｋによりキー１３，１５の押下の有無を検出できるように構成されている。
図１１は、機能設定操作キー１３及び決定操作キー１５と、これらのキー１３，１５の押下の検出に係る発光部Ｆ１，Ｆ２及び受光部Ｇ１，Ｇ２とを示す模式図（図５対応図）である。
【００９５】
図１１に例示的に示すように、機能設定操作キー１３及び決定操作キー１５は、第２方向Ｄ２に３行、第１方向Ｄ１に５列のマトリックスの一部を形成している。機能設定操作キー１３を構成する４つのキー（機能１キー、機能２キー、通話キー及び終話キー）は、３行×５列のマトリックスの４隅に配置している。決定操作キー１５を構成する５つのキー（決定キー、上キー、下キー、左キー及び右キー）については、決定キーが３行×５列のマトリックスの中心に位置し、その他の４つのキーが決定キーに隣接して上下左右に位置する。
【００９６】
３行×５列のマトリックスにおけるその他の位置には、機能設定操作キー１３及び決定操作キー１５は配置されていない。つまり、３行×５列のマトリックスには、キーが配置されない位置を有している。しかしながら、キーをマトリックス状に配置することができれば、キーが配置されない位置を有していたとしても、各キーの検出は可能である。
【００９７】
次に、第１実施形態の携帯電話機１におけるキー押下検出装置Ｋの動作について説明する。キー押下検出装置Ｋによれば、以下のように、キーの押下の有無を検出することができる。
なお、以下においては、図５から図９を参照しながら、入力操作キー１４のうちの１から９の数字キーのみを用いて説明するが、入力操作キー１４のうちのその他のキー並びに機能設定操作キー１３及び決定操作キー１５についても、キーの押下の有無を検出することができる。
【００９８】
図５から図９を参照しながら説明すると、例えば、全ての数字キー１４が押下されていない状態においては、第１発光部Ｆ１（１）から発光された光Ｒは、第１方向Ｄ１に伝播し、［１］キー、［２］キー及び［３］キー（［  ］内の数字は、数字キー１４における数字を示す）に対応する変換部Ｈにおける第１透過部５３を透過して、第１受光部Ｇ１（１）に受光される。
【００９９】
また、［１］キーのみが押下されている状態においては、第１発光部Ｆ１（１）から発光された光Ｒは、［１］キーに対応する変換部Ｈにおいて伝播方向を９０度変換されて、第２方向Ｄ２に伝播する。その後、［４］キー及び［７］キーに対応する変換部Ｈにおける第２透過部５４を透過して、第２受光部Ｇ２（１）に受光される。
【０１００】
また、［１］キー及び［４］キーが押下されている状態においては、第１発光部Ｆ１（１）から発光された光Ｒは、まず、［１］キーに対応する変換部Ｈにおいて伝播方向を９０度変換されて、第２方向Ｄ２に伝播する。次に、［４］キーに対応する変換部Ｈにおいて伝播方向を９０度変換されて、再度、第１方向Ｄ１に伝播する。その後、［５］キー及び［６］キーに対応する変換部Ｈにおける第１透過部５３を透過して、第１受光部Ｇ１（２）に受光される。
【０１０１】
説明を省略するが、同様にして、第１発光部Ｆ１（１）から発光された光Ｒは、いずれの数字キー（１又は複数）が押下されたとしても、第１受光部Ｇ１（１）〜Ｇ１（３）又は第２受光部Ｇ２（１）〜Ｇ２（３）のいずれかに受光される。
また、第１発光部Ｆ１（１）以外の発光部〔第１発光部Ｆ１（２）、第２発光部Ｆ２（１）等〕から発光された光Ｒについても、同様に、第１受光部Ｇ１（１）〜Ｇ１（３）又は第２受光部Ｇ２（１）〜Ｇ２（３）のいずれかに受光される。
【０１０２】
第１実施形態の携帯電話機１によれば、例えば下記の各効果が奏される。
第１実施形態の携帯電話機１においては、１又は複数のキーが押下されている間に、第１受光部Ｇ１及び第２受光部Ｇ２それぞれにおいて、変換部Ｈを介して伝播する光Ｒの受光の有無を検出すると共に、受光が有った場合に当該光Ｒが発光された第１発光部Ｆ１又は第２発光部Ｆ２を特定することにより、キーの押下の有無を検出している。
【０１０３】
そのため、電気回路を用いたキー押下検出装置とは異なり、キー構造部４０の下面側に電気回路（導電体）が存在しないため、スイッチングノイズが発生しにくい。そのため、従来、アンテナを配設することができなかったキー構造部４０の近傍、例えば、光スイッチ基板５０とシールドケース６０との間にアンテナシートＰ１を配設することができる。
また、キーの押下の有無の検出に光を利用しているため、キーの押下の検出時間が短い。
【０１０４】
また、１つのキーのみが押下されていることを検出できるだけでなく、複数のキーが押下されていること（多重押下）も容易に且つ確実に検出することができる。多重押下を確実に検出することができれば、キーに代表される入力手段の簡略化及び高度化を実現することができる。また、ロケーション検出も容易である。なお、従来のマトリックス状の電気回路を用いたキー押下検出装置では、多重押下を検出することは容易ではない。
【０１０５】
従来のマトリックス状の電気回路を用いた場合に比べて、キー押下検出装置Ｋにおいて電気接点を少なく或いはなくすことができるため、キーの押下耐用回数を向上させることができる。
キーの隙間から進入する静電気に起因する静電気破壊を抑制できる。
マトリックス状の電気回路を少なく或いはなくすことができるため、スキャン時に発生する高周波帯域への感度抑圧が発生しにくい。
【０１０６】
また、第１実施形態の携帯電話機１においては、第１発光部Ｆ１と変換部Ｈとの間、第２発光部Ｆ２と変換部Ｈとの間などに、導光部５６が配置されているため、第１発光部Ｆ１又は第２発光部Ｆ２から発光された光を、より確実に第１受光部Ｇ１又は第２受光部Ｇ２に向けて伝播させることができる。また、導光部５６を形成する素材によっては、導光部５６を湾曲させて、光の経路を湾曲させることもできる。
【０１０７】
また、第１実施形態の携帯電話機１においては、導光部５６が光放出部５７を備えているため、光放出部５７から放出された光をキー等の照明や電飾に用いることができる。
【０１０８】
また、第１実施形態の携帯電話機１においては、複数の第１発光部Ｆ１及び複数の第２発光部Ｆ２から発光される光は、互いに異なる波長を有していてもよい。これにより、導光部５６に光放出部５７を設けた場合に、異なる波長の光、即ち様々な色の光を光放出部５７から放出させて、キーの照明などに用いることができる。
【０１０９】
次に、本発明の第２実施形態について説明する。第２実施形態については、主として、第１実施形態とは異なる点を説明し、第１実施形態と同様の構成について同じ符号を付し、説明を省略する。第２実施形態について特に説明しない点については、第１実施形態についての説明が適宜適用される。第２実施形態においても、第１実施形態と同様の効果が奏される。
【０１１０】
第２実施形態の携帯電話機は、第１実施形態の携帯電話機１に比して、発光部から発光される光が、同じ波長又は互いに近い波長を有していると共に、互いに異なるタイミングで発光される点が主として異なる。その他の構成は、第１実施形態と同様である。
以下に、第２実施形態における特徴部分について詳述する。
【０１１１】
第２実施形態においては、複数の第１発光部Ｆ１及び複数の第２発光部Ｆ２から発光される光は、同じ波長又は互いに近い波長を有していると共に、互いに異なるタイミングで発光される。ここで、「互いに近い波長」とは、第１受光部Ｇ１又は第２受光部Ｇ２が複数の光を実質的に同時に受光した場合に、当該複数の光を互いに異なる光とは認識できない波長、即ち、受光された光を発光した発光部を識別できない波長を有する光をいう。
【０１１２】
第２実施形態は、受光された光を発光した発光部を識別できない波長を有する光について、発光のタイミングを異ならせている。異なる発光部における発光の間隔は、動体視力では認識できない程の短時間でよい。
また、受光部においては、発光のタイミングに合わせて、受光した光を検出する。
【０１１３】
第２実施形態の携帯電話機１によれば、複数の第１発光部Ｆ１及び複数の第２発光部Ｆ２から発光される光は、互いに異なるタイミングで発光される。そのため、複数の発光部の光源を共通化することができる。
また、すべての発光部を同時に発光させることに起因する電圧低下を抑制することができる。
【０１１４】
以上、本発明の実施形態について説明したが、本発明は、前述した各実施形態に制限されるものではない。
例えば、第１方向と第２方向Ｄ２とは、前記各実施形態においては、操作部側筐体２の厚み方向に視た場合に直交しているが、これに制限されず、直角以外の角度で交差していてもよい。
また、光ファイバーからなる導光部５６のように、直線状以外の導光部５６を用いた場合には、各キーの配置は、マトリックス状に制限されず、若干ずらすこともできる。
【０１１５】
前記各実施形態における変換部Ｈは、光を反射させることにより光の伝播方向を変換しているが、これに制限されず、光を屈折させることにより光の伝播方向を変換することもできる。光を屈折させる変換部Ｈは、例えば、プリズムや光ファイバーを利用することにより実現することができる。
【０１１６】
前記各実施形態においては、発光部として、第１方向Ｄ１に伝播する光を発光する第１発光部Ｆ１とは別に、「第２方向Ｄ２に伝播する光を、第１方向Ｄ１に伝播する光と交差するように発光する第２発光部Ｆ２」を備えているが、キー、即ち変換部Ｈが第２方向Ｄ２のみに配列されているときは、第２発光部Ｆ２は、必ずしも備えていなくてもよい。
【０１１７】
更に、押下を検出すべきキーが１つの場合には、第１発光部Ｆ１、変換部Ｈ、第１受光部Ｇ１及び第２受光部Ｇ２をそれぞれ１つのみ設けた形態とすることができる。更に、第１受光部Ｇ１或いは第２受光部Ｇ２のいずれか一方のみを設け、発光した光の検出の有無によってキーの押下を検出できるようにしてもよい。
【０１１８】
連結部４は、前記実施形態においては、表示部側筐体３と操作部側筐体２とを開閉軸を中心に開閉可能に連結しているが、これに制限されず、表示部側筐体３と操作部側筐体２とを開閉軸を中心に開閉可能に連結すると共に、開閉軸に直交する回動軸を中心に回動可能に連結するいわゆる２軸ヒンジ機構を備えていてもよい。
【０１１９】
また、本発明に係る携帯電話機は、前記実施形態のような折り畳み式ではなく、操作部側筐体２と表示部側筐体３とを重ね合わせた状態から一方の筐体を一方向にスライドさせるようにしたスライド式の携帯電話機であってもよい。また、操作部側筐体２と表示部側筐体３との重ね合せ方向に沿う軸線を中心に一方の筐体を回転させるようにした回転式（リボルバ）の携帯電話機であってもよい。
【０１２０】
本発明は、携帯電話機以外の携帯電子機器に適用することができ、また、携帯電子機器以外の電子機器にも適用することができる。また、本発明は、携帯電話機以外の通信機器に適用することもできる。
携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【０１２１】
携帯電子機器以外の電子機器としては、例えば、電子辞書、電卓、電子手帳、デジタルカメラ、ビデオカメラ、ラジオ等が挙げられる。
その他の通信機器としては、例えば、ワンセグチューナーやデジタルラジオチューナーを備えた通信機器が挙げられる。
【符号の説明】
【０１２２】
１  携帯電話機（電子機器、通信機器）
２  操作部側筐体
３  表示部側筐体
４  連結部
１４  入力操作キー（数字キー、キー、被覆部材）
５１  連結体
５２  反射体
５３  第１透過部
５４  第２透過部
５５  収納部
５６  導光部
５７  光放出部
Ｄ１  第１方向
Ｄ２  第２方向
Ｆ１  第１発光部
Ｆ２  第２発光部
Ｇ１  第１受光部
Ｇ２  第２受光部
Ｈ  変換部
Ｋ  キー押下検出装置
Ｐ１  アンテナシート
Ｒ  光
【図１】
2010282971.tif 000003
【図２】
2010282971.tif 000004
【図３】
2010282971.tif 000005
【図４】
2010282971.tif 000006
【図５】
2010282971.tif 000007
【図６】
2010282971.tif 000008
【図７】
2010282971.tif 000009
【図８】
2010282971.tif 000010
【図９】
2010282971.tif 000011
【図１０】
2010282971.tif 000012
【図１１】
2010282971.tif 000013